(57)【要約】【課題】振動により無線通信機が周りとぶつかって破壊されてしまうことを防止し、且つ鉄粉等の異物がアンテナ部に堆積することを防止することができる電動工具を提供すること。【解決手段】本発明の電動工具は、モータ１６と、モータ１６の回転を工具１４に伝達する駆動伝達部１７と、モータ１６の回転を制御するモータ制御部２０と、モータ制御部２０に制御を指示するトリガースイッチ１８と、外部との間で作業内容に関わる作業情報を無線通信するアンテナ部３０ａを有する無線通信機２４とを、ハウジング１０の内側に備えた電動工具であって、該無線通信機２４を緩衝材１００で覆い、該アンテナ部３０ａを該トリガースイッチ１８よりも所定の収納状態において上方に位置するように設けたことを特徴とする。【選択図】図１
2011067908.tif 000002
【特許請求の範囲】
【請求項１】
モータと、モータの回転を工具に伝達する駆動伝達部と、モータの回転を制御するモータ制御部と、モータ制御部に制御を指示するトリガースイッチと、外部との間で作業内容に関わる作業情報を無線通信するアンテナ部を有する無線通信機とを、ハウジングの内側に備えた電動工具であって、該無線通信機を緩衝材で覆い、該アンテナ部を該トリガースイッチよりも所定の収納状態において上方に位置するように設けたことを特徴とする電動工具。
【請求項２】
上記所定の収納状態は、工具を装着する出力側が斜め下方に向くように所定の工具フォルダ内に収納した状態であることを特徴とする請求項１記載の電動工具。
【発明の詳細な説明】
【技術分野】
【０００１】
本発明は、外部との間で作業内容に関わる作業情報を無線通信する無線通信機能を備えた電動工具に関するものである。
【背景技術】
【０００２】
従来から、図４に示すような、ねじ締付作業を管理するコントローラに締付トルクなどの情報を送信するためのアンテナ部３０ａを有する無線通信機２４をハウジング１０の内側に備え、アンテナ部３０ａのみハウジング１０の外側に設けた電動工具が提案されている（例えば特許文献１参照）。
【０００３】
また、図５に示すような、電動工具のハウジング１０の内側にアンテナ部３０ａを有する無線通信機２４を備え、ハウジング１０の外側の引掛フック２１内にアンテナ部３０ａを設けた電動工具（例えば特許文献２参照）が提案されている。
【先行技術文献】
【特許文献】
【０００４】
【特許文献１】特開平０６−３１２３８１号公報
【特許文献２】特開２００８−２１３０６９号公報
【発明の概要】
【発明が解決しようとする課題】
【０００５】
上記特許文献に開示された電動工具では、作業時等の振動によりハウジングの内側に設けている無線通信機が周りとぶつかって、破壊されてしまう危険性があった。また、作業終了後の収納時に、アンテナ部に鉄粉等の異物が堆積して無線電波の減衰が懸念されるという問題があった。
【０００６】
本発明は上記問題点に鑑みて為されたものであり、その目的とするところは、振動により無線通信機が周りとぶつかって破壊されてしまうことを防止し、且つ鉄粉等の異物がアンテナ部に堆積することを防止することができる電動工具を提供することにある。
【課題を解決するための手段】
【０００７】
上記目的を達成するために、本発明の電動工具は、モータ１６と、モータ１６の回転を工具１４に伝達する駆動伝達部１７と、モータ１６の回転を制御するモータ制御部２０と、モータ制御部２０に制御を指示するトリガースイッチ１８と、外部との間で作業内容に関わる作業情報を無線通信するアンテナ部３０ａを有する無線通信機２４とを、ハウジング１０の内側に備えた電動工具１ａであって、該無線通信機２４を緩衝材１００で覆い、該アンテナ部３０ａを該トリガースイッチ１８よりも所定の収納状態において上方に位置するように設けたことを特徴とする。
【０００８】
このように、無線通信機２４を緩衝材１００で覆うことで、作業時等の振動により周りとぶつかって発生する衝撃を緩衝材１００で緩和することができる。また、アンテナ部３０ａをハウジング１０の内側に設け、さらに電動工具１ａが所定の収納状態においてアンテナ部３０ａをトリガースイッチ１８よりも上方に位置させることで、トリガースイッチ１８とハウジング１０の隙間から侵入した鉄粉等の異物が、アンテナ部３０ａに堆積することを防止することができる。
【０００９】
また、上記所定の収納状態は、工具１４を装着する出力側が斜め下方に向くように所定の工具フォルダ４０内に収納した状態であることが好ましい。
【発明の効果】
【００１０】
本発明の電動工具は、振動により無線通信機が周りとぶつかって破壊されてしまうことを防止し、且つ鉄粉等の異物がアンテナ部に堆積することを防止することができる。
【図面の簡単な説明】
【００１１】
【図１】本発明の実施形態の電動工具を模式的に示した説明図である。
【図２】同上の電動工具の無線通信機の概略構成図である。
【図３】同上の電動工具が収納されるときを模式的に示した説明図である。
【図４】従来例の電動工具の側面図である。
【図５】他の従来例の電動工具の側面図である。
【発明を実施するための形態】
【００１２】
以下に、本発明に係る電動工具の実施形態を図面に基づいて説明する。
【００１３】
電動工具１ａを図１を参照して説明する。電動工具１ａは、手で把持可能な大きさに形成された中空丸筒状のグリップ部１１の軸方向一端（上端）に、グリップ部１１の軸方向に交差する方向を軸方向とする中空丸筒状の本体１２を設け、グリップ部１１と本体１２とで側面視略Ｔ字状をなしている。また、グリップ部１１の軸方向他端（下端）には電池収容部１３を設けている。この本体１２、グリップ部１１、電池収容部１３とで電動工具のハウジング１０を形成している。電池収容部１３の内部には充電池（図示せず）が収納され、グリップ部１１の下端部に着脱自在に取り付けられており、内部の充電池から後述するモータ制御部２０と、無線通信機２４に動作電源がそれぞれ電源コード２６、電源コード３１を通じて供給されるようになっている。なお、電池収容部１３はグリップ部１１の下端部と一体に形成しても良い。
【００１４】
本体１２の軸方向一端側（前端側）には、金属製のカバー部１２ａを設け、さらにその軸方向一端側（前端側）には、ドライバービットやソケットなどの工具（ビット）１４が着脱自在に装着される金属製のチャック１５を設けている。チャック１５は、本体１２の軸方向他端側（後端側）に設けたモータ１６を駆動源として、本体１２の軸方向を中心に回転駆動されるものであり、モータ１６の回転駆動力は本体１２に内装した駆動伝達部１７を介してチャック１５に伝達される。
【００１５】
駆動伝達部１７は、一端側（後端側）をモータ１６に連結した減速機１７ａと、減速機１７ａの他端側（前端側）に連結される打撃発生部１７ｂとで構成され、減速機１７ａ及び打撃発生部１７ｂを介してモータ１６の回転駆動力が減速されてチャック１５にまで伝達される。チャック１５に所定荷重がかかるまでは、その減速された回転駆動力がチャック１５にまで伝達され、チャック１５に所定荷重を超える荷重がかかる場合には打撃発生部１７ｂにて打撃運動が行われ、この打撃運動によりチャック１５に衝撃的な回転駆動力が伝達されるようになっている。
【００１６】
また、グリップ部１１の上端部の、チャック１５側の面である前面には、引込操作によりモータ１６の回転速度を指示するトリガースイッチ１８を前後方向に出し入れ自在に設けている。さらにトリガースイッチ１８の上方のやや後方には、モータ１６の回転方向を正転又は逆転方向に切り替えるための正逆転切替スイッチ１９が本体１２の表面から突出する形で露設されている。また、グリップ部１１の内部の上部には、モータ制御部２０が収納されており、グリップ部１１の内部の下部には、無線通信機２４が収納されている。
【００１７】
図２に示すように、無線通信機２４からは、可撓性を有するアンテナ線３０が伸びており、そのアンテナ線３０の先端には、外部の管理装置（図示せず）との間で作業内容に関わる作業情報を無線通信するアンテナ部３０ａが設けられている。アンテナ線３０は、紐状に形成されているので、グリップ部１１の内部の空所であれば、任意の位置にアンテナ部３０ａを設置することができる。また、無線通信機２４には、電池収容部１３の内部の充電池に接続される電源コード３１が設けられており、その電源コード３１を通じて充電池より動作電力が供給される。本実施形態では、図１に示すように、駆動伝達部１７の打撃発生部１７ｂと、モータ制御部２０の間の空所に、アンテナ部３０ａは設けられている。
【００１８】
また、無線通信機２４は、緩衝材１００で、アンテナ線３０の接続部と電源コード３１の接続部以外全て覆われている。このように無線通信機２４を緩衝材１００で覆うことで、作業時等の振動により周りとぶつかって発生する衝撃を緩衝材１００で緩和することができ、無線通信機２４が破壊されないようにしている。
【００１９】
また、グリップ部１１の外側の下部後側には回動軸２２を介して引掛フック２１が前後方向に回動自在に枢支されている。引掛フック２１は棒状に形成され、引掛フック２１の軸方向の一端側が回動軸２２に枢支され、グリップ部１１の軸方向と略直交する角度からグリップ部１１の軸方向と略平行な角度まで回動自在となっている。
【００２０】
また、グリップ部１１の下部後側には、落下防止用のループ状の帯紐２３が取り付けられている。
【００２１】
モータ１６のオン／オフおよび回転速度は、モータ制御部２０により調節される。モータ制御部２０は、トリガースイッチ１８の引き込み量に応じて、トリガースイッチ１８からモータ１６の回転速度の制御の指示を受けてモータ１６を制御する。また、正逆転切替スイッチ１９からの指示を受けてモータ１６の回転方向を変更することで、ねじを締めるか、或いは、緩めるかを変更することができる。モータ制御部２０とモータ１６とは接続線２７で繋がっており、接続線２７を通じてモータ１６を制御する。また、モータ制御部２０は、トリガースイッチ１８および正逆転切替スイッチ１９とも接続しており（図示せず）、トリガースイッチ１８および正逆転切替スイッチ１９からの入力信号に基づいてモータ１６の出力を制御する。
【００２２】
また、電動工具１ａは、無線通信機２４からアンテナ部３０ａを介して、外部の管理装置に、例えば、締付トルク、ねじ締め本数、作業時間、電池残量といったねじ締め作業の作業内容に関わる作業情報を送信する。
【００２３】
電動工具１ａは、一連の作業を終えた作業中断時や終了時などの非使用時において、所定の収納状態、すなわち作業場所に設置された工具フォルダ４０の保持穴４０ａ内に電動工具１ａ本体の前側部分（チャック１５を配した出力側部分）を斜め下方を向く姿勢で挿入した状態で、工具フォルダ４０に保持される（図３参照）。
【００２４】
上述したように、アンテナ部３０ａはハウジング１０の内側の、駆動伝達部１７の打撃発生部１７ｂと、モータ制御部２０の間の空所に設けているので、図３にも示す通り、上記のような所定の収納状態においては、アンテナ部３０ａはトリガースイッチ１８よりも上方に位置させていることになる。よって、出力側を斜め下方に向けた所定の収納状態において、トリガースイッチ１８とハウジング１０の隙間から侵入した鉄粉等の異物が、アンテナ部３０ａに堆積することを防止することができる。このようにすることで、作業終了後の収納時に、アンテナ部３０ａに鉄粉等の異物が堆積して無線電波が減衰してしまって、データの送信がうまくできないといった問題を防止することができる。
【００２５】
尚、本実施形態ではグリップ部１１と本体１２とで側面視略Ｔ字状をなすハウジング１０を備えた電動工具を例に説明を行ったが、本体１２とグリップ部１１とが直線状に並んだ側面視略Ｉ字状のハウジングを備えた電動工具でも良いことは言うまでもない。また、本実施形態では電動工具としてインパクトドライバを例に説明を行ったが、オイルパルスインパクトドライバやインパクト機能をもたないドライバ等の、他の機能を発揮する電動工具であっても良い。
【符号の説明】
【００２６】
１ａ    電動工具
１０    ハウジング
１１    グリップ部
１２    本体
１２ａ  カバー部
１３    電池収容部
１４    工具
１５    チャック
１６    モータ
１７    駆動伝達部
１７ａ  減速機
１７ｂ  打撃発生部
１８    トリガースイッチ
１９    正逆転切替スイッチ
２０    モータ制御部
２１    引掛フック
２２    回動軸
２３    帯紐
２４    無線通信機
２７    接続線
３０    アンテナ線
３０ａ  アンテナ送信部
３１    電源コード
４０    工具フォルダ
４０ａ  保持穴
１００  緩衝材
【図１】
2011067908.tif 000003
【図２】
2011067908.tif 000004
【図３】
2011067908.tif 000005
【図４】
2011067908.tif 000006
【図５】
2011067908.tif 000007